(57)【要約】【課題】作業効率がよく、また狭いスペースでも効率的に設置することが可能な画像情報読み取りセンサ付き画像読み取りセンサ付きプリンタを提供することをその目的とする。【解決手段】ロール紙Ｐを収容するロール紙収容部３０を備えた筐体部１１と、筐体部１１との間にスリップ紙Ｓを搬送するスリップ紙搬送路２１を画成する正面側蓋体部１２と、閉状態において筐体部１１にロール紙収容部３０を覆うように開閉可能に取り付けられ、かつ筐体部１１との間にロール紙Ｐを搬送するロール紙搬送路３５を画成する上面側蓋体部１３と、スリップ紙搬送路２１に沿って配置され、スリップ紙Ｓへの印字を行うスリップ紙印字部２３，２５と、ロール紙搬送路３５に沿って配置され、ロール紙Ｐへの印字を行うサーマルヘッド３３と、上面側蓋体部１３に設けられ、カードに記録された画像情報を読み取る画像情報読み取りセンサ４４と、を備えたことを特徴とする画像情報読み取りセンサ付きプリンタ。【選択図】      図４
2004320340.tif 000002
【特許請求の範囲】
【請求項１】
連続紙を収容する連続紙収容部を備えた背面側筐体部と、
閉状態において前記背面側筐体部に前記連続紙収容部を覆うように開閉可能に取り付けられ、かつ前記背面側筐体部との間に前記連続紙を搬送する連続紙搬送路を画成する上面蓋体部と、
前記連続紙搬送路に沿って配置され、前記連続紙への印字を行う連続紙印字部と、
前記上面蓋体部に設けられ、媒体に記録された画像情報を読み取る画像情報読み取りセンサと、を備えたことを特徴とする画像読み取りセンサ付きプリンタ。
【請求項２】
前記背面側筐体部との間にスリップ紙を搬送するスリップ紙搬送路を画成する正面側筐体部と、
前記スリップ紙搬送路に沿って配置され、前記スリップ紙への印字を行うスリップ紙印字部と、を備えたことを特徴とする請求項１記載の画像読み取りセンサ付きプリンタ。
【請求項３】
前記上面蓋体部と前記背面側筐体部との間に配置され、前記上面蓋体部に開閉可能に取り付けられた内部カバーを有し、
内部カバー閉状態において、前記内部カバーと前記上面蓋体部との間に前記媒体が搬送される媒体搬送路が画成され、
前記画像情報読み取りセンサが、前記媒体搬送路に沿って配置されていることを特徴とする請求項１または２記載の画像読み取りセンサ付きプリンタ。
【請求項４】
前記上面蓋体部には、前記媒体搬送路内に前記媒体を挿入するための媒体挿入口が設けられており、
内部カバー開状態時、前記媒体挿入口から媒体の挿入を禁止する媒体挿入禁止手段が設けられていることを特徴とする請求項３記載の画像読み取りセンサ付きプリンタ。
【請求項５】
前記媒体挿入禁止手段は、
前記上面蓋体部に回動可能に設けられ、前記内部カバー開状態において前記媒体搬送路を塞ぐシャッタと、
前記内部カバーに設けられ、前記内部カバー閉状態において前記媒体挿入口から媒体の挿入を許容するように前記シャッタを所定の退避位置に保持する突起と、を有することを特徴とする請求項４記載の画像読み取りセンサ付きプリンタ。
【請求項６】
前記上面蓋体部は、前記媒体搬送路内の前記媒体をガイドするガイド壁を有することを特徴とする請求項３〜５のいずれか１項に記載の画像読み取りセンサ付きプリンタ。
【請求項７】
前記媒体搬送路内に挿入された前記媒体の長さを検出する媒体長さ検出器を有しており、
前記媒体長さ検出手段による媒体挿入時と媒体排出時の検出結果が異なっていた場合には、前記画像情報読み取りセンサによる読み取りは失敗であると判断することを特徴とする請求項３〜６のいずれか１項に記載の画像読み取りセンサ付きプリンタ。
【請求項８】
前記媒体長さ検出器は、前記画像情報読み取りセンサであることを特徴とする請求項７記載の画像読み取りセンサ付きプリンタ。
【請求項９】
前記上面蓋体部には、前記媒体搬送路内に挿入された前記媒体が一時的に前記上面蓋体部から張り出すための張り出し開口が設けられていることを特徴とする請求項３〜８のいずれか１項に記載の画像読み取りセンサ付きプリンタ。
【請求項１０】
媒体張り出し量は前記上面蓋体部開状態において前記上面蓋体部がプリンタ背面側から最も離れる位置と筐体の背面側との間の距離よりも小さくなるように構成されていることを特徴とする請求項９記載の画像読み取りセンサ付きプリンタ。
【発明の詳細な説明】
【０００１】
【発明の属する技術分野】
本発明は、連続紙とスリップ紙の双方への印刷が可能で、かつカード等の媒体に記録された画像情報を読み取り可能な画像読み取りセンサ付きプリンタに関する。
【０００２】
【従来の技術】
連続紙上に印字を行い、レシート、入場券、その他の発行券等を発行する連続紙プリンタや、小切手、パーソナルチェック用紙等への印字に用いられるスリッププリンタが広く用いられている。これらのプリンタの中には、連続紙への印字機能とスリップ紙の印字機能を兼ね備え、１台で連続紙とスリップ紙の双方へ印字を行うことが可能な複合プリンタもある。
【０００３】
この種の複合プリンタとしては、例えば図１４に示すようなものが挙げられる。図１４の複合プリンタ１１０では、筐体１２０の上面側にロール紙Ｐの投入開口１２１が形成されており、その内部にロール紙Ｐの収納部１２２を備えている。ロール紙Ｐは、収納部１２２内で回転自在に保持されており、その一端は筐体１２０内で前方側に引き出され、蓋体１３０を閉じたときに形成される搬送路１２３を通過する。この搬送路１２３上には、サーマル式の印字ヘッド１２４が設置されている。この印字ヘッド１２４は、ロール紙Ｐ上への印字を行う。
【０００４】
また、蓋体１３０は、投入開口１２１を開閉するためのものであり、その上面前方側はスリップ紙を挿入するためのスリップ紙挿入面１３１になっている。このスリップ紙挿入面１３１の一方の側縁には、スリップ紙Ｓの挿入方向に沿ってスリップ紙ガイド１３２が形成されている。ロール紙Ｐの排紙口１２５は、蓋体１３０の閉じたときに、筐体１２０と蓋体１３０の先端との突合せ部分の間隙によって形成され、スリップ紙挿入面１３１よりも下方に位置している。また、蓋体１３０の上面後方側には、スリップ紙印字部１６０が設けられている（特許文献１参照）。
【０００５】
【特許文献１】
特開２００１−３４１３６９（第５頁、図２）
【０００６】
【発明が解決しようとする課題】
近年、免許証や写真入りクレジットカード等の認証媒体上に記録された画像情報を読み取るスキャナ装置が、上記のような複合プリンタとともに店舗等に設置されることがある。しかしながら、上記のような状況の場合、複合プリンタとスキャナ装置の２台を独立に配置することになるため、店舗内における各装置の配置を工夫する必要がある。特に、複合プリンタとともにスキャナ装置を設置するにあたって、店舗スペースが狭小で設置スペースが限られているような場合には、装置２台分の設置スペースを確保するのが困難である場合も考えられる。
【０００７】
また、スキャナ装置と複合プリンタの２台の装置をそれぞれ設置する場合には、スキャナ装置と複合プリンタが独立に動作する。したがって、２台の装置を別々に操作しなければならないため、全体としての作業効率が悪くなる。
【０００８】
また、複合プリンタとスキャナ装置との間にて通信を行うような状況の場合には、別途複合プリンタとスキャナ装置をリンクさせるための装置、配線ケーブル等が必要となる。したがって、装置の設置数が増加してしまい、さらに設置スペースを圧迫する恐れがある。
【０００９】
本発明は、上記問題点を鑑みてなされたものであり、作業効率がよく、また狭いスペースでも効率的に設置することが可能な画像読み取りセンサ付きプリンタを提供することをその目的とする。
【００１０】
【課題を解決するための手段】
本発明の上記課題は、以下のような構成によって達成される。
（１）  連続紙を収容する連続紙収容部を備えた背面側筐体部と、
閉状態において前記背面側筐体部に前記連続紙収容部を覆うように開閉可能に取り付けられ、かつ前記背面側筐体部との間に前記連続紙を搬送する連続紙搬送路を画成する上面蓋体部と、
前記連続紙搬送路に沿って配置され、前記連続紙への印字を行う連続紙印字部と、
前記上面蓋体部に設けられ、媒体に記録された画像情報を読み取る画像情報読み取りセンサと、を備えたことを特徴とする画像読み取りセンサ付きプリンタ。
（２）  前記背面側筐体部との間にスリップ紙を搬送するスリップ紙搬送路を画成する正面側筐体部と、
前記スリップ紙搬送路に沿って配置され、前記スリップ紙への印字を行うスリップ紙印字部と、を備えたことを特徴とする（１）記載の画像読み取りセンサ付きプリンタ。
（３）  前記上面蓋体部と前記背面側筐体部との間に配置され、前記上面蓋体部に開閉可能に取り付けられた内部カバーを有し、
内部カバー閉状態において、前記内部カバーと前記上面蓋体部との間に前記媒体が搬送される媒体搬送路が画成され、
前記画像情報読み取りセンサが、前記媒体搬送路に沿って配置されていることを特徴とする（１）または（２）記載の画像読み取りセンサ付きプリンタ。
（４）  前記上面蓋体部には、前記媒体搬送路内に前記媒体を挿入するための媒体挿入口が設けられており、
内部カバー開状態時、前記媒体挿入口から媒体の挿入を禁止する媒体挿入禁止手段が設けられていることを特徴とする（３）記載の画像読み取りセンサ付きプリンタ。
（５）  前記媒体挿入禁止手段は、
前記上面蓋体部に回動可能に設けられ、前記内部カバー開状態において前記媒体搬送路を塞ぐシャッタと、
前記内部カバーに設けられ、前記内部カバー閉状態において前記媒体挿入口から媒体の挿入を許容するように前記シャッタを所定の退避位置に保持する突起と、を有することを特徴とする（４）記載の画像読み取りセンサ付きプリンタ。
（６）  前記上面蓋体部は、前記媒体搬送路内の前記媒体をガイドするガイド壁を有することを特徴とする（３）〜（５）のいずれか記載の画像読み取りセンサ付きプリンタ。
（７）  前記媒体搬送路内に挿入された前記媒体の長さを検出する媒体長さ検出器を有しており、
前記媒体長さ検出手段による媒体挿入時と媒体排出時の検出結果が異なっていた場合には、前記画像情報読み取りセンサによる読み取りは失敗であると判断することを特徴とする（３）〜（６）のいずれか記載の画像読み取りセンサ付きプリンタ。
（８）  前記媒体長さ検出器は、前記画像情報読み取りセンサであることを特徴とする（７）記載の画像読み取りセンサ付きプリンタ。
（９）  前記上面蓋体部には、前記媒体搬送路内に挿入された前記媒体が一時的に前記上面蓋体部から張り出すための張り出し開口が設けられていることを特徴とする（３）〜（８）のいずれか記載の画像読み取りセンサ付きプリンタ。
（１０）  媒体張り出し量は前記上面蓋体部開状態において前記上面蓋体部がプリンタ背面側から最も離れる位置と筐体の背面側との間の距離よりも小さくなるように構成されていることを特徴とする（９）記載の画像読み取りセンサ付きプリンタ。
【００１１】
【発明の実施の形態】
以下、図面を参照しながら、本発明に係る画像読み取りセンサ付きプリンタの実施形態について、詳細に説明を行う。
【００１２】
図１は、本実施形態の画像読み取りセンサ付きプリンタ１０を示す外観斜視図である。図２は、スリップ紙搬送路部分を示す要部概略図である。図３は、画像読み取りセンサ付きプリンタ１０の上面蓋体部を示す斜視図である。図４は、画像読み取りセンサ付きプリンタ１０の部分断面図である。図５および図６は、上面蓋体部が開かれた状態を示す斜視図および断面図である。図７および図８は、上面蓋体部が開かれた状態において内部カバーが開かれた状態を示す斜視図および断面図である。図９は、内部カバーが開かれた状態におけるカード搬送路の上面側を示す断面図である。図１０は、シャッタを示す斜視図である。図１１および図１２は、シャッタの開閉動作を説明するための上部蓋体部を示す断面図である。図１３は、シャッタが閉じた状態のカード挿入口を示す斜視図である。
【００１３】
本実施形態の画像読み取りセンサ付きプリンタ１０の全体構成は、ロール紙Ｐ（図４参照）とスリップ紙Ｓ（図２参照）の双方へ印刷可能であり、かつカードＣ（図４参照）等に記録された画像情報を読み取り可能なプリンタである。
【００１４】
画像読み取りセンサ付きプリンタ１０は、筐体１１ａ内部に連続紙としてのロール紙Ｐを収納するとともに、このロール紙Ｐへの印字を行う印字機構等を備える背面側筐体部１１と、背面側筐体部１１の正面側に設けられ、背面側筐体部１１との間にスリップ紙Ｓが搬送されるスリップ紙搬送路２１を画成する正面側筐体部１２と、背面側筐体部１１の上面側を覆うようにに取り付けられ、カード等の媒体に記録された画像情報を読み取る読み取りセンサ機構等を収納する上面蓋体部１３とが一体に形成されて構成されている。
【００１５】
ここで、正面側筐体部１２は、スリップ紙搬送路２１を介して筐体部１１から隔てられた正面側下部１２ａと、正面側筐体１２ａの上面側を覆う正面カバー１２ｂと、正面側下部１２ａと正面側カバー１２ｂとを片支持状態で保持する正面側側部１２ｃとから構成されている。スリップ紙Ｓは、図１および図２に示すように、画像読み取りセンサ付きプリンタ１０の正面側であって、かつ背面側筐体部１１の筐体１１ａと正面側筐体部１２の正面側蓋体１２ａとの間に開口したスリップ紙挿入口２１ａから挿入可能とされている。
【００１６】
スリップ紙搬送路２１に挿入されたスリップ紙Ｓは、図２に示すように、サブスリップ送りローラ２２ａと、サブスリップ送りローラ２２ａとスリップ紙搬送路２１を挟んで対向配置されたサブスリップ押さえローラ２２ｂとに搬送され、スリップ紙搬送路２１内部の裏面印字部２３に送られる。
【００１７】
裏面印字部２３は、スリップ紙Ｓの裏面側に配置されたシリアルインパクト
ドットマトリクス方式の印字部２３ａと、印字部２３ａとスリップ紙搬送路２２を挟んで対向配置されたプラテン２３ｂとから構成されている。この印字部２３ａは、スリップ紙Ｓの裏面へ印字可能である。
【００１８】
裏面印字部２３からさらに搬送されたスリップ紙Ｓは、スリップ送りローラ２４ａと、スリップ送りローラ２２ａと用紙搬送路２１を挟んで対向配置されたサブスリップ押さえローラ２２ｂとに搬送され、スリップ紙搬送路２１内部の表面印字部２５に送り込まれる。
【００１９】
表面印字部２５は、スリップ紙Ｓの表面側に配置されたシリアルインパクト
ドットマトリクス方式の印字部２５ａと、印字部２５ａとスリップ紙搬送路２１を挟んで対向配置されたプラテン２５ｂとから構成されている。この印字部２５ａは、スリップ紙Ｓの表面へ印字可能である。表面印字部２５からさらに搬送されたスリップ紙Ｓは、スリップ紙画像情報読み取りセンサ２６に送られる。
【００２０】
スリップ紙画像情報読み取りセンサ２６は、ＣＩＳタイプのイメージセンサであり、スリップ紙Ｓの表面側に配置されている。スリップ紙画像情報読み取りセンサ２６のスリップ紙搬送路２１を挟んだ対向面側には、押しつけローラ２７が配置されている。この押しつけローラ２７は、押しつけ部材２７ａによってスリップ紙画像情報読み取りセンサ２６の読み取り面２６ａに向けてスリップ紙Ｓをスリップ紙厚に応じた所定の押圧力で押しつけている。スリップ紙画像情報読み取りセンサ２６は、スリップ紙Ｓが押しつけローラ２７によって読み取り面２６ａに押し付けられた状態で、スリップ紙Ｓの表面側に記録された画像情報を読み取り可能に構成されている。スリップ紙画像情報読み取りセンサ２６と押しつけローラ２７間を通過したスリップ紙Ｓは、スリップ紙排出口２１ｂから排出される。
【００２１】
また、スリップ紙挿入口２１ａにはスリップ紙後端センサ２８ａが、またサブスリップ押さえローラ２２ｂの下流側には、スリップ紙先端センサ２８ｂが設けられており、スリップ紙搬送路２１内でのスリップ紙Ｓの有無の確認、ならびに表面印字部２５および裏面印字部２３による印字時の頭出し制御に用いられている。
【００２２】
また、表面印字部２５とスリップ紙画像情報読み取りセンサ２６との間には、排出検出器２９が設けられており、スリップ紙搬送路２１からスリップ紙Ｓが排出されたかどうかを検出している。
【００２３】
以上が、スリップ紙搬送路２１と、スリップ紙搬送路２１での各種動作の説明である。
【００２４】
次に、図４を参照しながら、ロール紙搬送路３５と、ロール紙搬送路での各種動作の説明を行う。筐体部１１と上面側蓋体部１３との間には、ロール紙搬送路３５が形成されている。ロール紙Ｐは、背面側筐体部１１内部に設けられたロール紙収納壁３１によって形成されたロール紙収納部３０に収納されている。このロール紙Ｐは、ロール紙搬送路３５に沿って送り出され、筐体１１ａと上面カバー１３ａとの間に開口したロール紙排出口３５ａから排出される。
【００２５】
このロール紙収納部３０は、ドロップイン方式のロール紙収納部であり、ロール紙Ｐは、ロール紙収納部３０内に投入して配置される。このロール紙の用紙供給は、ロール紙Ｐがロール紙収納壁３１にガイドされながら回転することによって行われる。ロール紙収納部３０に配置されたロール紙Ｐの一端は、ロール紙収納部３０から引き出されて、プラテンローラ３２とサーマル印字ヘッド３３との間に位置するように配置される。
【００２６】
プラテンローラ３２は、図５に示すように、その回転軸３２ａが上面蓋体部１３のフレーム５１に回転自在に軸支されており、回転軸３２ａの端部に取り付けられたギア３２ｂが図示せぬモータにより回転駆動されてプラテンローラ３２を回動させ、ロール紙Ｐを送り出す。
【００２７】
サーマル印字ヘッド３３は、プラテンローラ３２によって送り出されるロール紙Ｐ上に文字を印字可能に構成されている。印字されたロール紙Ｐは、ロール紙搬送路３５を通ってロール紙排出口３５ａから排出される。
【００２８】
プラテンローラ３２及びサーマル印字ヘッド３３の上方には、図４に示すように、オートカッタ３４が配置されている。オートカッタ３４は、ロール紙搬送路３５の一方側に配置された固定刃３４ａと、ロール紙搬送路３５を挟んで一方側に固定刃３４ａに対応して配置された可動刃３４ｂとを有している。
【００２９】
固定刃３４ａは、図５に示すように、プラテンローラ３３に隣接した位置に蓋体部１３のフレーム５１によって保持されている。
【００３０】
可動刃３４ｂは、ロール紙搬送路に向かって図４の矢印Ａ方向に移動可能に構成されており、固定刃３４ａとの間にロール紙Ｐを挟み込むことによって、ロール紙Ｐを切断可能に構成されている。
【００３１】
図３においては、ロール紙排出口３５ａの近傍にロール紙排出口３５ａの長手方向に沿って、ロール紙切断用固定刃３６が設けられている。このロール紙切断用固定刃３６は、手動によってロール紙Ｐを切断する場合の切断刃である。本実施形態では、ロール紙切断用として、オートカッタ３４とロール紙切断用固定刃３６の双方を示しているが、何れか一方のみを備えるように構成してもよい。
【００３２】
上面蓋体部１３の下部には、図５および図６に示すように、主要骨格としてフレーム５１が配置されている。このフレーム５１は、ヒンジ部５２を介して、背面側筐体部１１に設けられた固定部５３に対して回動可能に構成されており、これにより上面蓋体部１３が、ロール紙収納部３０の開閉動作可能に構成されている。ロール紙Ｐの交換時には、ヒンジ部５２を介して上面蓋体部１３が開かれてロール紙収納部３０にロール紙Ｐを挿入可能な状態となる。
【００３３】
次に、カード画像情報読み取り部４０について説明を行う。カード画像情報読み取り部４０は、図４に示すように、上面カバー１３ａと、ロール紙収納部３０との間に設けられており、厚手の媒体であるカードＣ等をカード挿入口４１ａからカード搬送路４１内に挿入し、カードＣ上の画像情報を読み取り可能に構成されている。
【００３４】
カード画像情報読み取り部４０において、カード搬送路４１の上面側、すなわち上面カバー１３ａ側には、第１送りローラ４３ａ、カード画像情報読み取りセンサ４４、および第２送りローラ４６ａがカード搬送路４１に沿って配置されている。一方、カード搬送路４１の下面側、すなわちロール紙収納部３０側には、第１押さえローラ４３ｂ、押しつけローラ４５、および第２押さえローラ４６ｂが、それぞれ第１カード送りローラ４３ａ、カード画像情報読み取りセンサ４４、および第２送りローラ４６ａと対向する位置に配置されている。
【００３５】
第１送りローラ４３ａおよび第１押さえローラ４３ｂは、カード挿入口４１ａとカード画像情報読み取りセンサ４４との間（カード画像情報読み取りセンサ４４の上流側）に配置されており、カード搬送路４１内に挿入されたカードＣをカード搬送路４１に沿って前後に搬送可能に構成されている。第１送りローラ４３ａおよび第１押さえローラ４３ｂによって搬送されたカードＣは、カード画像情報読み取りセンサ４４と押しつけローラ４５との間に送られる。
【００３６】
カード画像情報読み取りセンサ４４は、カードの表面に記録された文字や画像を読み取るＣＩＳタイプのイメージセンサである。カード画像情報読み取りセンサ４４は、押しつけローラ４５によってカード画像情報読み取りセンサ４４の読み取り面４４ａにカード厚に応じた押し付け力によって適宜押し付けられた状態で、文字や画像等の画像情報を読み取る。
【００３７】
第２送りローラ４６ａおよび第２押さえローラ４６ｂは、カード画像情報読み取りセンサ４４の下流側に配置されており、カード搬送路４１内に挿入されたカードＣをカード搬送路４１に沿って前後に搬送可能に構成されている。
【００３８】
また、第２送りローラ４６ａおよび第２押さえローラ４６ｂの下流側であって、カード搬送路４１と上面カバー１３ａとの交差する位置には、張り出し開口４１ｂが開口している。この張り出し開口４１ｂは、カード搬送路４１内のカードＣが、第２送りローラ４６ａおよび第２押さえローラ４６ｂによってニップされた状態でカード搬送路４１の下流側に送り出されて、一時的に画像読み取りセンサ付きプリンタ１０の背面側から張り出すことを許容するものである。
【００３９】
実際の読み取り動作時には、カード挿入口４１ａから挿入されたカードＣは、第１送りローラ４３ａおよび第１押さえローラ４３ｂならびに第２送りローラ４６ａおよび第２押さえローラ４６ｂによって、カード挿入口４１ａ側から張り出し開口４１ｂに向かって搬送されて、カードＣが完全にカード画像情報読み取りセンサ４４を通過する位置まで搬送される。そして、第１送りローラ４３ａおよび第２送りローラ４６ａを逆転駆動することによって、カードＣをカード挿入口４１ａ側に送り出す。そして、カードＣをカード画像情報読み取りセンサ４４の読み取り面４４ａ上を通過させて、カード画像情報読み取りセンサ４４によってカードＣ表面の文字または画像情報が読み取られる。カードＣは、読み取り終了後、カード挿入口４１ａから画像読み取りセンサ付きプリンタ１０外部に排出される。
【００４０】
ここで、第２送りローラ４６ａは、カードＣの張り出し量が上面蓋体部１３が開いた状態において、上面蓋体部１３がプリンタ背面側、すなわち図６に示すように、筐体１１の背面側から最も離れる位置Ｐと筐体１１の背面側との間の距離Ｌよりも小さくなるようにカードＣを張り出し開口４１ｂから張り出させるように設定されている。
【００４１】
これは、例えば、画像読み取りセンサ付きプリンタ１０の背面側が壁であるような場所に画像読み取りセンサ付きプリンタ１０を配置する場合には、図６に示すような上面蓋体部１３が開いた状態に保てるように、壁から距離Ｌ以上離れた位置に画像読み取りセンサ付きプリンタ１０が配置されると考えられる。したがって、カードＣの張り出し量をＬより小さくなるように設定しておくことにより、カードＣが張り出し開口４１ｂから張り出した場合であっても、カードＣは、背面側の壁に衝突することがない。したがって、カードＣが張り出し開口４１ｂから張り出して、壁に衝突するといった懸念が取り除かれ、安心して画像読み取りセンサ付きプリンタ１０を使用することができる。
【００４２】
ロール紙収納部３０側に配置された第１押さえローラ４３ｂ、押しつけローラ４５、および第２押さえローラ４６ｂは、カード搬送路４１とロール紙収納部３０との間に配置された内部カバー４２に回転可能に支持されている。内部カバー４２は、カード搬送路４１をなすカード搬送面４２ａがその上面に形成されており、第１押さえローラ４３ｂ、押しつけローラ４５、および第２押さえローラ４６ｂは、カード搬送面４２ａから一部突出して、それぞれ第１カード送りローラ４３ａ、カード画像情報読み取りセンサ４４、および第２送りローラ４６ａに当接可能に構成されている。
【００４３】
この内部カバー４２は、図７および図８に示すように、ヒンジ部５５を介して、上面蓋体部１３側からカード搬送方向に略垂直に立設したガイド壁５４，５４に回動可能に取り付けられている。さらに詳細に説明すると、ヒンジ部５５は、内部カバー４２の背面側に設けられており、上面蓋体部１３が開かれた状態で、上方に向けられた内部カバー４２の正面側がプリンタ１０の正面側に向かって引き出されて、プリンタ１０の正面側からカード搬送路４１の各種部材のメンテナンス可能に構成されている。
【００４４】
また、内部カバー４２が取り付けられたガイド壁５４，５４は、図９に示すように、カード搬送路４１内に挿入されたカードＣの挿入方向を修正する案内壁となるように構成されている。例えば、カードＣがカード搬送方向（ここでは、カード挿入口４１ａに対して垂直かつ用紙搬送面４２ａに平行な方向）に対して少し斜めに挿入された場合には、第１送りローラ４３ａおよび第２送りローラ４６ａによって搬送されながら、ガイド壁５４，５４の何れか一方の壁面に当接することにより、カードＣの挿入方向が曲げられる。これにより、ガイド壁５４，５４は、カードＣの挿入方向がカード搬送方向に対して少し角度を持っていた場合であっても、カード搬送方向となるように修正していく。
【００４５】
このカード搬送方向の修正は、第１送りローラ４３ａおよび第１押さえローラ４３ｂならびに第２送りローラ４６ａおよび第２押さえローラ４６ｂによって、カード挿入口４１ａ側から張り出し開口４１ｂに向かって搬送されて、カードＣが完全にカード画像情報読み取りセンサ４４を通過するまでの間に行われる。したがって、カードＣは、カードＣが完全にカード画像情報読み取りセンサ４４を通過した後に、カード画像情報読み取りセンサ４４の読み取り面４４ａにカード搬送方向に送り込まれる。これにより、カード画像情報読み取りセンサ４４は、常に同じ角度でカードＣの画像情報を読み取ることができる。
【００４６】
また、図９に示すように、カード搬送路４１のカード挿入口４１ａの近傍には、カード挿入検出センサ４８が設けられている。このカード挿入検出センサ４８は、カード挿入口４１ａから挿入された用紙を検出するセンサである。第１送りローラ４３ａおよび第２送りローラ４６ａは、このカード挿入検出センサ４８によって検出された後に、駆動開始するように構成することにより、カード挿入がトリガーとなって、カード搬送路４１内でのカード送り動作を開始することが可能となる。
【００４７】
また、このカード挿入検出センサ４８は、カードＣを検出してからカードＣがカード搬送路４１内部に送り込まれて非検出となるまでの時間に対応する挿入時のカード長さを検出し、そしてカード画像情報読み取りセンサ４４によってカードＣ上の情報が読み取られた後にカードＣを検出してからカードＣがカード挿入口４１ａから排出されて、非検出となるまでの時間に対応する排出時のカード長さを検出するように構成してもよい。この場合、検出された２つのカード長さが一致していなかった場合には、カード挿入時またはカード読み取りに関わるカード排出時に、例えば予期せぬ外力によってカードＣが一定速度で送られなかったと判断し、カードＣ上の画像情報の読み取りに失敗したと画像読み取りセンサ付きプリンタ１０が判断するように構成することができる。
【００４８】
このカード長さの検出は、カード挿入検出センサ４８のみならず、画像情報読み取りセンサ４４が行うように構成しても構わない。画像情報読み取り部４０は、カードＣを検出してからカードＣがカード画像情報読み取りセンサ４４の下流側に完全に送り込まれて非検出となるまでの時間に対応する挿入時のカード長さを検出し、そしてカード画像情報読み取りセンサ４４によってカードＣ上の情報が読み取りを開始してからカードＣがカード挿入口４１ａ方向に搬送されて、非検出となるまでの時間に対応する排出時のカード長さを検出することによりカード挿入検出センサ４８と同様の検出を行うことが可能である。
【００４９】
また、内側カバー４２が開いた状態で、カードＣをカード挿入口４１ａから挿入できないようにするため、媒体挿入禁止手段としてのシャッタ４７と、解除突起６１が設けられている。
【００５０】
シャッタ４７は、図１０に示すように、回転軸４７ａと、回転軸４７ａの一端側近傍に中心側が固定された円弧状の基部４７ｂと、回転軸４７ａの他端に中心側が固定された円弧状の挿入禁止部４７ｃと、基部４７ｂと挿入禁止部４７ｃとの間に設けられた補強部材４７ｄと、基部４７ｂに一体に取り付けられた突起当接部４７ｅとが一体に形成されて構成されている。
【００５１】
シャッタ４７は、図４、図６、図８、または図９に示すように、カード挿入口４１ａと第１送りローラ４３ａとの間であって、カード搬送路４１の上面側筐体１３ａ側に設けられた固定部４８に回転軸４７ａが回転自在に軸支された状態で取り付けられている。
【００５２】
図１１に示すように、解除突起６１は、内部カバー４２の側面であって、内部カバー４２の閉状態において突起当接部４７ｅに当接するような位置に設けられている。解除突起６１は、この内部カバー閉状態において、シャッタ４７の突起当接部４７ｅに当接し、シャッタ４７をカード搬送路４１から離れる方向に押し上げている。この状態において、シャッタ４７は、ばね部材４９によって、カード搬送路４１に向かって回動する方向に付勢されている。
【００５３】
一方、図１２に示すように、内部カバー４２が開いた状態となり、解除突起６１がシャッタ４７の突起当接部４７ｅから離れると、ばね部材４９の付勢力によって、シャッタ４７は、カード搬送路４１側に回動する。この状態でシャッタ４７の挿入禁止部４７ｃは、カード搬送路４１を遮るように位置しており、カード挿入口４１ａからのカードＣの挿入を禁止する（図１３参照）。
【００５４】
したがって、上面蓋体部１３が開いた状態で内部カバー４２を開いた状態とした場合、または内部カバー４２が開いた状態のまま、上面蓋体部１３が閉じられたような場合には、カードＣをカード挿入口４１ａから挿入することは禁止される。
【００５５】
以上、本実施形態の画像読み取りセンサ付きプリンタ１０は、ロール紙Ｐを収容するロール紙収容部３０を備えた背面側筐体部１１と、背面側筐体部１１との間にスリップ紙Ｓを搬送するスリップ紙搬送路２１を画成する正面側筐体部１２と、閉状態において背面側筐体部１１にロール紙収容部３０を覆うように開閉可能に取り付けられ、かつ背面側筐体部１１との間にロール紙Ｐを搬送するロール紙搬送路３５を画成する上面蓋体部１３と、スリップ紙搬送路２１に沿って配置され、スリップ紙Ｓへの印字を行うスリップ紙印字部としての表面印字部２５および裏面印字部２３と、ロール紙搬送路３５に沿って配置され、ロール紙Ｐへの印字を行うサーマル印字ヘッド３３と、上面蓋体部１３に設けられ、カードＣに記録された画像情報を読み取るカード画像情報読み取りセンサ４４と、を備えている。
【００５６】
したがって、本実施形態の画像読み取りセンサ付きプリンタ１０によれば、スリップ紙Ｓへの印字と、ロール紙Ｐへの印字と、カードＣ上の画像情報の読み取りを１台の画像読み取りセンサ付きプリンタ１０を用いて実行することができる。よって、画像読み取りセンサ付きプリンタとスキャナ装置の２台を配置する等、装置の配置の工夫等に配慮することなく、店舗スペースが狭小で設置スペース限られているような場合であっても、１台分の設置スペースを確保することによって、スリップ紙Ｓへの印字と、ロール紙Ｐへの印字と、カードＣ上の画像情報の読み取りとを行うことが可能である。
【００５７】
また、本実施形態の画像読み取りセンサ付きプリンタ１０は、上面蓋体部１３と背面側筐体部１１との間に配置され、上面蓋体部１３に開閉可能に取り付けられた内部カバー４２を有し、内部カバー閉状態において、内部カバー４２と上面蓋体部１３との間にカードＣが搬送されるカード搬送路４１が画成され、カード画像情報読み取りセンサ４４が、カード搬送路４１に沿って配置されている。
【００５８】
したがって、本実施形態の画像読み取りセンサ付きプリンタ１０によれば、上面蓋体部１３と背面側筐体部１１との間に内部カバー４２が開閉可能に取り付けられているので、上面蓋体部１３を開いた状態において、内部カバー４２を開くことにより、カード搬送路４１およびその周辺に配置された構成部品のクリーニング、部品交換等のメンテナンスを容易に実行することができる。
【００５９】
また、本実施形態の画像読み取りセンサ付きプリンタ１０は、上面蓋体部１３には、カード搬送路４１内にカードＣを挿入するためのカード挿入口４１ａが設けられており、内部カバー開状態時、カード挿入口４１ａからカードＣの挿入を禁止する媒体挿入禁止手段が設けられている。
【００６０】
したがって、本実施形態の画像読み取りセンサ付きプリンタ１０によれば、内部カバー開状態時には、カード挿入口４１ａからカードＣを挿入することが禁止されているため、用紙搬送路４１が画成されていない状態で、すなわち読み取りができない状態でのカード挿入が阻害され、無理なカード挿入等による装置の破損等を未然に防止することができる。
【００６１】
また、本実施形態の画像読み取りセンサ付きプリンタ１０は、媒体挿入禁止手段が、上面蓋体部１３に回動可能に設けられ、内部カバー開状態においてカード搬送路４１を塞ぐシャッタ４７と、内部カバー４２に設けられ、内部カバー閉状態においてカード挿入口４１ａからカードＣの挿入を許容するようにシャッタ４７を所定の退避位置に保持する突起６１と、を有する。
【００６２】
したがって、本実施形態の画像読み取りセンサ付きプリンタ１０によれば、シャッタ４７とシャッタ４７を内部カバー４２の開閉状態に応じて保持する突起６１を設けるといった簡易な構成を付加してやるだけで、媒体挿入禁止手段を構成することが可能となる。
【００６３】
また、本実施形態の画像読み取りセンサ付きプリンタ１０は、上面蓋体部１３は、カード搬送路４１内のカードＣをガイドするガイド壁５４を有する。
【００６４】
したがって、本実施形態の画像読み取りセンサ付きプリンタ１０によれば、ガイド壁５４は、カードＣがカード搬送路４１内に斜めに挿入された場合であっても、カードＣの挿入方向をカード搬送方向となるように修正するため、カード画像情報読み取りセンサ４４は、常に同じ角度でカードＣの画像情報を読み取ることができる。
【００６５】
また、本実施形態の画像読み取りセンサ付きプリンタ１０は、媒体搬送路４１内に挿入されたカードＣの長さを検出する媒体長さ検出器としてのカード挿入検出センサ４８を有しており、カード挿入検出センサ４８によるカード挿入時とカード排出時の検出結果が異なっていた場合には、カード画像情報読み取りセンサ４４による読み取りは失敗であると判断する。
【００６６】
カード挿入時とカード排出時のカード長さが異なっていた場合には、カードＣ上の画像情報よみ取り時に何らかの外力がカードＣに作用し、読み取り時のカードＣの搬送速度が一定となっていない可能性がある。このような場合には、読み取りを失敗であると判断し、例えば、読み取り失敗をユーザーに通知するように構成することにより、読み取りに失敗した画像情報が保存され利用されるといった不具合を予め解消することができる。
【００６７】
また、本実施形態の画像読み取りセンサ付きプリンタ１０では、カード挿入検出センサ４８ではなくカード画像情報読み取りセンサ４４を用いて、カード長さを測定するように構成してもよい。
【００６８】
また、本実施形態の画像読み取りセンサ付きプリンタ１０は、上面蓋体部１３には、カード搬送路４１内に挿入されたカードＣが一時的に上面蓋体部１３から張り出すための張り出し開口４１ｂが設けられている。
【００６９】
したがって、カード搬送路４１の長手方向長さとして十分な長さを確保できない場合であっても、カードＣを張り出し開口４１ｂから張り出させることにより、カード搬送路４１を実質的に延長することが可能となる。よって、カード画像情報読み取り部４０のコンパクト化を達成することが可能となる。
【００７０】
また、本実施形態の画像読み取りセンサ付きプリンタ１０は、カードＣの張り出し開口４１ｂからの張り出し量は、上面蓋体部１３が開いた状態において上面蓋体部１３がプリンタ１０の背面側から最も離れる位置Ｐと筐体１１の背面側との間の距離Ｌよりも小さくなるように構成されている。
【００７１】
これにより、例えば、画像読み取りセンサ付きプリンタ１０の背面側が壁であるような場所に画像読み取りセンサ付きプリンタ１０を配置する場合であっても、上面蓋体部１３が開いた状態に保てるだけの距離Ｌが壁との間に確保されていれば、カードＣの張り出し量をＬより小さくなるように設定しておくことにより、カードＣが張り出し開口４１ｂから張り出した場合であっても、カードＣは、背面側の壁に衝突することがない。したがって、カードＣが張り出し開口４１ｂから張り出して、壁に衝突するといった懸念が取り除かれ、安心して画像読み取りセンサ付きプリンタ１０を使用することができる。
【００７２】
また、本実施形態によれば、スリップ紙Ｓへの印字に対して、表面印字部２５と裏面印字部２３とを設けたので、一度スリップ紙Ｓをスリップ紙搬送路２１に挿入するだけで、表面と裏面への印刷を行うことが可能である。
【００７３】
また、本実施形態では、スリップ紙搬送路２１にて、スリップ紙Ｓ上の画像情報を読み取るように構成したので、例えば、スリップ紙Ｓとしての小切手をスリップ紙搬送路２１に設置されたスリップ紙画像情報読み取りセンサ２６を用いて読み取り、この小切手の発行人が所持する免許証または認証カード等を画像読み取り分４０によって読み取ることができる。これにより、画像読み取りセンサ付きプリンタ１０を用いて、小切手を読み取り、さらにこの小切手の発行人を確認するための関連するデータを有する免許証又は認証カードをとして読み取ることにより、小切手の本人確認を容易に行うことが可能である。この読み取った画像データは、例えば、外部の認証サーバー等に画像データを送出することにより、小切手使用者の確認を行うことように構成してもよい。
【００７４】
なお、本実施形態では、スリップ紙Ｓの印字部として、表面印字部２５と裏面印字部２３とを設けたが、これに限られることはなく、表面印字部２５または裏面印字部２３だけを設けるように構成しても構わない。
【００７５】
また、本実施形態では、スリップ紙Ｓ上の画像情報を読み取るように構成したが、これに限られることはなく、必要に応じて選択的にスリップ紙Ｓの画像情報を読み取るように構成してもよい。
【００７６】
【発明の効果】
本発明の画像読み取りセンサ付きプリンタによれば、スリップ紙への印字と、連続紙への印字と、媒体上の画像情報の読み取りを１台の画像読み取りセンサ付きプリンタを用いて実行することができる。よって、プリンタとスキャナ装置の２台を配置する等の装置の配置の工夫する等に配慮することなく、店舗スペースが狭小で設置スペース限られているような場合であっても、１台分の設置スペースを確保することによって、スリップ紙への印字と、ロール紙への印字と、カード上の画像情報の読み取りとを行うことが可能である。
【図面の簡単な説明】
【図１】本発明に係る実施形態の画像読み取りセンサ付きプリンタを示す外観斜視図である。
【図２】スリップ紙搬送路部分を示す断面図である。
【図３】画像読み取りセンサ付きプリンタの上面蓋体部を示す斜視図である。
【図４】図４は、画像読み取りセンサ付きプリンタの部分断面図である。
【図５】上面蓋体部が開かれた状態を示す斜視図である。
【図６】上面蓋体部が開かれた状態を示す断面図である。
【図７】上面蓋体部が開かれた状態において内部カバーが開かれた状態を示す斜視図である。
【図８】上面蓋体部が開かれた状態において内部カバーが開かれた状態を示す断面図である。
【図９】内部カバー開状態におけるカード搬送路の上面側を示す断面図である。
【図１０】シャッタを示す斜視図である。
【図１１】シャッタの開閉動作を説明するための上部蓋体部を示す断面図である。
【図１２】シャッタの開閉動作を説明するための上部蓋体部を示す断面図である。
【図１３】シャッタが閉じた状態のカード挿入口を示す斜視図である。
【図１４】従来の複合プリンタを示す断面図である。
【符号の説明】
１０・・画像読み取りセンサ付きプリンタ
１１・・背面側筐体部
１２・・正面側筐体部
１３・・上面蓋体部
２１・・スリップ紙搬送路
２３・・裏面印字部
２４・・表面印字部
２６・・画像情報読み取りセンサ
３０・・ロール紙収納部
３２・・プラテンローラ
３３・・サーマルヘッド
３４・・オートカッタ
３５・・ロール紙搬送路
４１・・カード搬送路
４１ａ・・カード挿入口
４１ｂ・・張り出し開口
４２・・内部カバー
４４・・カード画像情報読み取りセンサ
４５・・押しつけローラ
４７・・シャッタ
４８・・カード挿入検出センサ
【図１】
2004320340.tif 000003
【図２】
2004320340.tif 000004
【図３】
2004320340.tif 000005
【図４】
2004320340.tif 000006
【図５】
2004320340.tif 000007
【図６】
2004320340.tif 000008
【図７】
2004320340.tif 000009
【図８】
2004320340.tif 000010
【図９】
2004320340.tif 000011
【図１０】
2004320340.tif 000012
【図１１】
2004320340.tif 000013
【図１２】
2004320340.tif 000014
【図１３】
2004320340.tif 000015
【図１４】
2004320340.tif 000016